(57)【特許請求の範囲】
【請求項１】
ガラスを罫書きする罫書き装置であって、
ハウジング、
前記ハウジングに連結されたホイールアンビル、
前記ハウジングに連結された距離計、
前記ハウジングと前記ホイールアンビルとの間に連結された、アクチュエータ、
第２ハウジング、
前記第２ハウジングに連結された罫書きホイール、および、
前記第２ハウジングと前記罫書きホイールとの間に連結された、第２アクチュエータ、
を備え、
前記アクチュエータが前記ホイールアンビルを、前記距離計からの信号に基づいた位置へと動かして、前記ガラスの一方の側に前記ホイールアンビルを接触させ、
前記第２アクチュエータが前記罫書きホイールを、前記ホイールアンビルの抵抗力に対して既定の力をもたらすように動かして、前記ガラスの反対側に前記罫書きホイールを接触させることを特徴とする装置。
【請求項２】
前記ホイールアンビルが、球体状、楕円体状、平坦化された球体状、または平坦化された楕円体状のうちの、１つの形状を有していることを特徴とする請求項１記載の装置。
【請求項３】
前記ハウジングに連結された第２ホイールアンビルをさらに備えていることを特徴とする請求項１または２記載の装置。
【請求項４】
前記ガラスに近づいたり離れたりする方向への運動のために、前記ハウジングに連結されたシャフトをさらに備え、前記ホイールアンビルは前記シャフトに取り付けられることを特徴とする請求項１から３のいずれか１項記載の装置。
【請求項５】
前記ガラスに近づいたり離れたりする方向への運動のために、前記第２ハウジングに連結されたシャフトをさらに備え、前記罫書きホイールは前記第２ハウジングに連結されたシャフトに取り付けられることを特徴とする請求項１から４のいずれか１項記載の装置。
【請求項６】
ガラスに罫書きする方法であって、
ホイールアンビルおよびガラスの相対位置を判定するステップ、
前記ホイールアンビルを前記ガラスの一方の側と接触するように駆動するステップ、
罫書きホイールを、前記ホイールアンビルからの抵抗力に対して既定の力をもたらすように、前記ガラスの方へと駆動して、前記ガラスの反対側に前記罫書きホイールを接触させるステップ、および、
前記ガラスに罫書きラインを生成するように、前記罫書きホイールおよび前記ホイールアンビルを、前記ガラスと接触した状態を維持したまま前記ガラスに対して動かすステップ、
を含むことを特徴とする方法。
【請求項７】
罫書きラインを生成するように前記罫書きホイールおよび前記ホイールアンビルを動かす前記ステップの間に、前記ホイールアンビルに対する前記ガラスの第２位置を判定するステップ、および、これに従って、前記ホイールアンビルと前記ガラスとの間の接触を維持するように前記ホイールアンビルを動かすステップ、をさらに含むことを特徴とする請求項６記載の方法。
【請求項８】
前記ホイールアンビルが、球体状、楕円体状、平坦化された球体状、または平坦化された楕円体状のうちの、１つの形状を有していることを特徴とする請求項６または７記載の方法。
【請求項９】
前記ホイールアンビルとともに運動するように該ホイールアンビルに連結された、第２ホイールアンビルをさらに備えていることを特徴とする請求項６から８いずれか１項記載の方法。
【請求項１０】
ガラスリボンを成形するステップ、請求項６から９いずれか１項に記載の方法にしたがって前記ガラスリボンに罫書きするステップ、および、前記リボンから罫書き線に沿ってシートを分離するステップ、を含むことを特徴とする方法。
【請求項１１】
前記ホイールアンビルおよび前記ガラスの相対位置を判定するステップは、距離計が前記ガラスに向けてビームを送ることを含むことを特徴とする請求項６から１０のいずれか１項記載の方法。
【請求項１２】
前記ホイールアンビルおよび前記ガラスの相対位置を判定するステップは、前記ガラスの湾曲を検知することを含むことを特徴とする請求項６から１１のいずれか１項記載の方法。
【発明の詳細な説明】
【関連出願の説明】
【０００１】
本出願は、２０１０年８月３０日に出願された米国仮特許出願第６１／３７８，１３７号の優先権の利益を主張するものである。
【技術分野】
【０００２】
本発明は、ガラスシートに罫書きする装置および方法に関し、より具体的には、フラットパネルディスプレイ装置での使用に適したガラスシートに罫書きする装置および方法に関する。
【背景技術】
【０００３】
「フュージョンプロセス」により成形されるガラスは、連続したリボンの状態で下方に流れるが、このリボンはさらなる処理のために、所定サイズのシートに切断しなければならない。ガラスは、最初にその幅に亘って罫書きされ、さらにトルクが加えられて罫書きラインの位置でガラスが折られることによりリボンから分離される。本書ではフュージョンプロセスまたはダウンドロープロセスと関連付けて説明するが、その概念は、例えばアップドロー、スロットドロー、およびフロートなどを含めた任意の方法により成形されるガラスリボンに対して、より一般的に適用可能である。さらに本書における概念は、ガラスシートをより小さい部分に切断することにも適用可能であろう。
【０００４】
従来、罫書きの際には、ガラスの一方の側に罫書きホイールが接触し、これに対してガラスの反対側は、平坦なプレートすなわち「アンビル」により支持される。罫書きの際に、完全に平坦ではないガラスを平坦なアンビルに対して押圧し平坦化すると、望ましくない応力がガラス内に生じる。
【０００５】
この平坦なアンビルに関連する問題を軽減するために、湾曲したアンビルを代わりに使用する試みがなされてきた。湾曲したアンビルの凸状形状は、ガラスの一般的な弓形形状に近似したものである。したがって、一次近似に対する罫書きは、ガラスの予想される弓形形状の輪郭を追跡する。
【発明の概要】
【発明が解決しようとする課題】
【０００６】
この手法にも、少なくとも３つの制限がある。第１に、実際のガラスの平面外輪郭は、凸状の湾曲アンビルの単純な形状よりも複雑である。第２に、この解決策は、単に幅方向における湾曲に対処する試みである。第３に、ガラスの正確なうねりは事前には分からないため、湾曲したアンビルをガラスの正確な弓形に合わせて設計することはできない。
【０００７】
図７は、平坦なアンビルの構成を示している。この図においてガラス１０４は、下方延伸方向である方向１０６に延伸されている。横延伸方向は、この頁面に対して垂直に延びる方向である。この構成では、ガラス１０４の平面外輪郭は罫書きのために強制的に平坦化され、これにより望ましくない応力がガラス内に生成される。アンビル１２０が頁の中に向かう方向に延在する真っ直ぐな棒である場合には、罫書きホイール１４０をガラス１０４に対して押圧して罫書きラインを生成するときに、ガラスは横延伸方向と下方延伸方向との両方に沿って平坦化される可能性がある。罫書きホイールをガラスに沿って横延伸方向に動かすと、このホイールは方向１４４へと軸１４２に関して回転する。アンビルが弓形であり、すなわち湾曲していたとしても、罫書きホイール１４０がガラス１０４をアンビルに対して押圧するときに依然としてガラスを下方延伸方向に平坦化することになる。さらなる説明のために図７に示されているように、ガラス１０４は下方延伸方向において曲がっており、その結果、ガラスはアンビル１２０とアンビル下部で接触するが、上方延伸方向に延在しているガラスはアンビルから離れるように屈曲する。さらに、ガラス１０４の形状がアンビルの円弧状の曲面から逸脱しているときにも、罫書きホイール１４０はガラス１０４を横延伸方向に平坦化することになる。すなわち、湾曲したアンビルでも、ガラス１０４のうねりがアンビルの円弧状とは異なる曲率半径を有しているときに、このうねりを追跡することはできない。
【課題を解決するための手段】
【０００８】
本開示は、罫書き中にガラス上に加えられる応力を減少させることによってガラス罫書きプロセスを改良する、罫書き装置および方法に関する。本書において説明するアンビルは、移動式のホイールアンビルである。ホイールアンビルは近接検知および制御によって位置付けることができ、これにより罫書きプロセスを、ガラスの平面外輪郭を追跡するようにすることができる。ガラスの輪郭を追跡する罫書きプロセスおよび機器があれば、ガラスを強制的に固定の形状の輪郭にさせた場合に生じることになる、ガラスへの応力を防ぐことができる。すなわち、罫書き中に生成されるガラスへの応力が低減する
さらなる特徴および利点は以下の詳細な説明の中に明記され、ある程度は、その説明から当業者には容易に明らかになるであろうし、あるいは書かれた説明や添付の図面で例示したように本発明を実施することにより認識されるであろう。前述の一般的な説明および以下の詳細な説明は、単に本発明の例示であり、請求される本発明の本質および特徴を理解するための概要または構成を提供することを意図したものであることを理解されたい。
【０００９】
添付の図面は、本発明の原理のさらなる理解を提供するために含まれ、また本明細書に組み込まれかつその一部を構成する。図面は１以上の実施形態を示し、そしてその記述とともに、本発明の原理および動作を、例を用いて説明するのに役立つ。本書および本図面において開示された本発明の種々の特徴は、任意の組合せで、また全て組み合わせて、使用することができることを理解されたい。限定しない例として、本発明の種々の特徴を、以下のように互いに組み合わせてもよい。
【００１０】
第１の態様によれば、罫書き装置が提供され、この罫書き装置は、
ハウジング、
ハウジングに連結されたホイールアンビル、および、
ハウジングに連結された距離計、
を備えている。
【００１１】
第２の態様によれば、態様１の装置が提供され、この装置は、ハウジングとホイールアンビルとの間に連結された、アクチュエータをさらに備え、アクチュエータがホイールアンビルを、距離計からの信号に基づいた位置へと動かすことを特徴とする。
【００１２】
第３の態様によれば、態様２の装置が提供され、このときアクチュエータはボイスコイルまたはサーボモータである。
【００１３】
第４の態様によれば、態様２または態様３の装置が提供され、
第２ハウジング、
第２ハウジングに連結された罫書きホイール、および、
第２ハウジングと罫書きホイールとの間に連結された、第２アクチュエータ、
をさらに備え、第２アクチュエータが罫書きホイールを、ホイールアンビルの抵抗力に対して既定の力をもたらすように動かすことを特徴とする。
【００１４】
第５の態様によれば、態様４の装置が提供され、このとき第２アクチュエータはボイスコイルまたはサーボモータである。
【００１５】
第６の態様によれば、態様１から５いずれか１つの装置が提供され、このときホイールアンビルは、球体状、楕円体状、平坦化された球体状、または平坦化された楕円体状のうちの、１つの形状を有している。
【００１６】
第７の態様によれば、態様１から５いずれか１つの装置が提供され、このときホイールアンビルは円筒状形状を有している。
【００１７】
第８の態様によれば、態様１から７いずれか１つの装置が提供され、ハウジングに連結された第２ホイールアンビルをさらに備えている。
【００１８】
第９の態様によれば、ガラスに罫書きする方法が提供され、この方法は、
ホイールアンビルおよびガラスの相対位置を判定するステップ、
ホイールアンビルをガラスと接触するように駆動するステップ、
罫書きホイールを、ホイールアンビルからの抵抗力に対して既定の力をもたらすように、ガラスの方へと駆動するステップ、および、
ガラスに罫書きラインを生成するように、罫書きホイールおよびホイールアンビルを、ガラスと接触した状態を維持したままガラスに対して動かすステップ、
を含む。
【００１９】
第１０の態様によれば、態様９の方法が提供され、この方法は、罫書きラインを生成するように罫書きホイールおよびホイールアンビルを動かすステップの間に、ホイールアンビルに対するガラスの第２位置を判定するステップ、および、これに従って、ホイールアンビルとガラスとの間の接触を維持するようにホイールアンビルを動かすステップ、をさらに含む。
【００２０】
第１１の態様によれば、態様９または態様１０の方法が提供され、このときホイールアンビルは、球体状、楕円体状、平坦化された球体状、または平坦化された楕円体状のうちの、１つの形状を有している。
【００２１】
第１２の態様によれば、態様９または態様１０の方法が提供され、このときホイールアンビルは円筒状形状を有している。
【００２２】
第１３の態様によれば、態様９から１２いずれか１つの方法が提供され、ホイールアンビルとともに運動するようにホイールアンビルに連結された、第２ホイールアンビルをさらに備えている。
【００２３】
第１４の態様によれば、ガラスシート作製方法が提供され、この方法は、ガラスリボンを成形するステップ、態様９から１３いずれか１つに記載の方法にしたがってガラスリボンに罫書きするステップ、および、リボンから罫書き線に沿ってシートを分離するステップ、を含む。
【図面の簡単な説明】
【００２４】
【図１】第１の実施形態による罫書き装置を、下方延伸方向に見て示した概略図
【図２】円筒状ホイールアンビルと罫書きホイールを横延伸方向から見て示した概略図
【図３】楕円体状ホイールアンビルと罫書きホイールを横延伸方向から見て示した概略図
【図４】平坦な赤道部分を備えた楕円体状ホイールアンビルの概略図
【図５】第２の実施形態による罫書き装置を、下方延伸方向に見て示した概略図
【図６】ガラスを成形する機器の概略図
【図７】関連技術による平坦なアンビルの概略図
【発明を実施するための形態】
【００２５】
以下の詳細な説明においては、説明のためであって限定するものではないが、具体的詳細を開示する実施形態例を明記して本発明の種々の原理の完全な理解を提供する。しかしながら、本開示の利益を得たことのある通常の当業者には、本発明をここで開示される具体的詳細とは異なる他の実施形態で実施し得ることは明らかであろう。さらに、周知の装置、方法、および材料に関する説明は、本発明の種々の原理の説明を不明瞭にしないよう省略することがある。最後に、適用できる限り、同じ参照番号は同様の要素を示す。
【００２６】
本書で使われる、例えば、上、下、右、左、前、後、上部、下部などの方向を示す用語は、単に描かれている図を基準にしたものであって、絶対的な向きの意味を含むと意図されたものではない。
【００２７】
他に明確に述べられていなければ、本書に明記されるいずれの方法も、そのステップを特定の順序で実行する必要があると解釈されることを全く意図していない。したがって、方法の請求項においてそのステップが続いていく順序を実際に説明していない場合、あるいは請求項または説明の中でステップが特定の順序に限定されると具体的に述べられていない場合には、順序が推測されることはどの点においても全く意図されていない。これは、ステップまたは動作フローの配置に関する論理の問題、文法構成または句読点から導かれる明白な意味、本明細書内で説明される実施形態の数または種類を含めた、全ての可能性のある明示されていない解釈の原則として適用される。
【００２８】
本書では、文脈が明らかに他に指示していなければ、単数形は複数の指示対象を含むものとする。すなわち、例えば、ある「構成要素」に言及したときには、文脈が明らかに他に指示していなければ、２以上のこの構成要素を有する態様を含む。
【００２９】
ホイールアンビルを使用して、ガラス内に不要な応力を生み出す望ましくない平坦化をガラスに生じさせることなく、ガラスシートに罫書きすることができる。距離計およびアクチュエータを用いると、ホイールアンビルは、事前に輪郭が分からなくても任意のうねりの輪郭を追跡することができる。ホイールアンビルが追跡可能な輪郭の長さスケールは、ホイールアンビルのサイズ、形状、および曲率半径に関連する。ホイールアンビルはガラスの幅（すなわち横延伸）方向における平面外輪郭を追跡することができるが、ホイールアンビルとガラスとの接触エリアが狭いため、ガラスの流動（すなわち下方延伸）方向における平面外輪郭も―ガラスを平坦化せずに―許容することができる。接触エリアが狭いため、ガラスを平坦に押圧するアンビル表面の量が減少し、すなわち罫書き中のガラス内の応力が減少する。
【００３０】
図１は、一実施の形態による罫書き装置２を下方延伸方向に見て概略的に示したものである。図１に示されているガラス４は、この頁の中に向かう方向に延伸されている。罫書き装置２を、ガラス４を成形するための機器または任意の他の適切な構造に連結させて、ガラス４に対し方向３７とその反対の方向５７とに移動できるようにしてもよい。例えば、当業者には理解されるであろうが、罫書き装置２は、リボンからガラスシートを分離するためにガラスリボン延伸機（図６の２００参照）の下部で使用されるような、移動アンビル装置（ＴＡＭ、図６の２０５参照）に取り付けてもよい。ＴＡＭはガラス４のリボンと同じ速さで下方延伸方向に移動するため、罫書き装置２がさらに矢印３７または矢印５７のいずれかの方向にも移動すると、この装置はガラス４を横切って真っ直ぐなラインを生成する。罫書き装置２は、ガラス４の一方の側にホイールアンビル２２を取り付けるハウジング２０と、ガラス４の反対側に罫書きホイール４２を取り付ける第２ハウジング４０とを含む。
【００３１】
ハウジング２０は、ホイールアンビル２２、アクチュエータ２６、および距離計２８に取付場所を提供する。ホイールアンビル２２は回転軸２５を介してシャフト２４に取り付けられる。シャフト２４は、ガラス４に近づいたり離れたりする矢印３５方向への運動のために、ハウジング２０に連結される。アクチュエータ２６は、矢印３３で概略的に示したようにシャフト２４に連結され、シャフト２４を矢印３５方向に移動させる。
【００３２】
アクチュエータ２６は、例えば、ボイスコイルまたはサーボモータでもよい。アクチュエータは距離計２８から経路３１を介して信号を受信し、その後受信した信号に基づいて矢印３５の方向にシャフト２４を動かす。アクチュエータ２６は、シャフト２４を、すなわちホイールアンビル２２の外縁を、ガラス４の表面に一致するある画成された位置に位置付けて、罫書き動作中に罫書きホイール４２からの力に対してガラス４を支持するようにすることができる。ホイールアンビル２２を初期位置に戻すために、アクチュエータ２６は、ホイールアンビル２２をガラス４の予想された平面から離れた位置へと動かしたり、さらに矢印５７の方向に動かしたりしてもよい。あるいは、次の罫書きラインでは、罫書き動作を逆の方向に行ってもよい。すなわち、罫書きホイール４２およびアンビル２２がガラス４と接触している状態で、ハウジング２０および４０がともに矢印３７の方向に移動すると１つの罫書き動作が実行され、次いでハウジング２０および４０が矢印５７の方向に移動すると別の罫書き動作が実行されるようにしてもよい。
【００３３】
距離計２８は、例えば、光学的距離計、超音波距離計、またはレーザ測定センサでもよい。適切なレーザ測定センサは、例えば、オレゴン州ポートランドのシュミット・インダストリーズ（Schmitt Industries）（Acuity AccuRangeレーザ測定センサ）、またはニュージャージー州ウッドクリフレイクのキーエンス・コーポレーション・オブ・アメリカ（Keyence Corporation of America）から入手できる。距離計２８は、ガラス４に垂直な方向（すなわち、矢印３５の方向）におけるガラス４に対するホイールアンビル２２の位置を判定するために用いることができ、さらにアクチュエータ２６と共に使用して、ガラス４の平面外輪郭を追跡するようにホイールアンビル２２を動かすことができる。例えば、平面外輪郭を有しているガラス４を示した図５を参照されたい。現時点で、およそ数μｍの分解能を有している距離計が入手可能である。１以上のさらなる距離計でアンビルホイールとシートとの接触点の直前および直後の距離を監視して、ホイールアンビル２２を正確に移動させる手法をアクチュエータ２６が予想するのを助けることも可能であろう。さらに、ハウジング２０の両側（矢印３７および５７の方向）に距離計があると、罫書き装置２のいずれの方向への運動でも罫書きラインを生成する助けとなるであろう。
【００３４】
第２ハウジング４０は、罫書きホイール４２およびアクチュエータ４６に取付部を提供する。罫書きホイール４２は回転軸４５を介してシャフト４４に取り付けられる。シャフト４４は、ガラス４に近づいたり離れたりする矢印５５に沿った方向への運動のために、第２ハウジング４０に連結される。アクチュエータ４６は、矢印５３で概略的に示したようにシャフト４４に連結され、シャフト４４を矢印５５方向に移動させる。
【００３５】
アクチュエータ４６は、例えば、ボイスコイル、サーボモータ、または一定力アクチュエータでもよい。アクチュエータ４６は、ホイールアンビル２２が支持しているガラス４に抵抗を受けるような一定力をもたらすよう、シャフト４４を、すなわち罫書きホイール４２を、ガラス４に向かって押すように構成してもよい。適切な一定力アクチュエータは、キーエンスや、カリフォルニア州カールスバッドのＳＭＡＣからも入手可能である。ガラスに適切な罫書きラインを生成するよう、力の量は適切に選択することができる。力の量は、ガラス４の厚さおよび硬さ、罫書きホイール４２の構成、および罫書きラインの所望の深さのうちの、１以上に依存する。したがって、一定力をもたらすように罫書きホイール４２を駆動することによって、ホイールアンビル２２がガラスの輪郭を追跡して動くときに、罫書きホイール４２はこれに沿って追跡しガラス４との接触を維持する。この手法において、ホイールアンビル２２および罫書きホイール４２は、ガラス４を平坦化してガラス４に望ましくない応力を招く代わりに、ガラス４のうねりを追跡する。
【００３６】
ホイールアンビル２２は、例えば、ゴム、シリコーン、またはべスペル（登録商標）（デュポン社から入手可能）で、作製してもよいし、および／または被覆してもよい。さらに、ホイールアンビル２２は、図２〜４に示したような種々の構成を有し得る。これらの図において、図示のガラス４は下方延伸方向６に動き、このとき横延伸方向は、すなわち下方延伸方向に垂直なガラス４のリボンの幅は、この紙面に垂直な方向に延在している。
【００３７】
図２において、ホイールアンビル２２は円筒状である。ガラス４に接触しているホイールアンビル２２とともにハウジング２０が横延伸方向に移動するとき、ホイールアンビル２２は回転軸２５に一致するその縦軸に関して方向３９に回転する。この円筒状のホイールアンビル２２は、ガラス４の幅方向、すなわち横延伸方向における平面外輪郭を追跡する。円筒状ホイールアンビル２２の半径によって、これが追跡することができるうねりの輪郭の長さスケールまたは曲率半径が決まる。ホイールアンビル２２が追跡できる細かいうねりと、罫書きホイール４２およびホイールアンビル２２間の同期の正確さなどの実施上の配慮点との間にはトレードオフが存在する。
【００３８】
図３において、ホイールアンビルは楕円体状であり、その短軸は回転軸２５に一致している。図３のホイールアンビル２２は、球体の具体的な事例ともし得る。楕円体のホイールアンビルは、横延伸方向に加え下方延伸方向における平面外輪郭を許容し得る点で、円筒状のものを超える利点をもたらす。すなわち、楕円体のホイールアンビルは下方延伸方向に湾曲しているため、楕円体の短軸と等しい幅を有する円筒状のホイールアンビル程、ガラスを下方延伸方向において平坦化することは潜在的にない。楕円体の赤道と罫書きホイール４２のエッジとを厳密に同期または調和させて、罫書きホイール４２がガラス４に与える力をホイールアンビル２２によって適切に弱め、ガラス４を損傷しないようにすることができる。位置合わせにいくらかの誤差を与えるために、図４では平坦な赤道部分２３を備えた楕円体を示している。図示のように赤道を回転軸２５に対して平行に平坦化してもよいし、あるいは赤道をより大きな曲率半径で再成形してもよい。こうすることで、罫書きホイール／ガラス／ホイールアンビルの接触に対する「ターゲット」が拡張される。
【００３９】
ここで罫書き装置２の動作を説明する。ガラス４に罫書きラインを引くために、距離計２８がガラス４に向けてビーム３０を送り、距離計２８に対するガラス４の位置を見出す。アクチュエータ２６が、ガラス４の相対位置を示す信号を経路３１を介して距離計２８から受信して、ホイールアンビル２２の外縁がガラス４を支持する位置に置かれるようシャフト２４を駆動する。ホイールアンビル２２が一旦正しい位置に置かれると、罫書きホイール４２がガラスに接触するように、次いでアクチュエータ４６がシャフト４４を既定の力で駆動する。ホイールアンビル２２と罫書きホイール４２の両方がガラス４に接触した状態となると、ハウジング２０および４０が矢印３７方向または矢印５７方向のいずれかの横延伸方向に一緒に移動する。ハウジング２０、４０が矢印３７の方向に動くと、ホイールアンビル２２は矢印３９の方向に回転し、さらに罫書きホイールは、ガラス４との摩擦係合によって矢印５９の方向（例えば、図２〜４参照）に回転する。ハウジング２０、４０の運動中、罫書き動作が継続すると、アクチュエータ２６は距離計２８から位置情報を受信し続ける。シートが湾曲している場合には、距離計２８は位置の変化としてその湾曲を検知し、送られる信号は新たな相対位置を示したものとなる。アクチュエータ２６はその後、ホイールアンビル２２の外縁をその新たな位置へと駆動するようにシャフト２４を動かし、ホイールアンビル２２とガラス４との間の接触を維持する。同時に、アクチュエータ４６はシャフト４４を一定力をもたらすように駆動し、それにより罫書きホイール４２はガラスの輪郭の変化に従ってホイールアンビル２２の運動を追跡する。
【００４０】
罫書き装置２の別の実施形態が図５に示されており、この図は図１と同様、罫書き装置２を下方延伸方向に見て概略的に示している。すなわち、図５に示されているガラス４は、頁の中に向かう方向に延伸されている。罫書き装置２は、ガラス４の一方の側にホイールアンビル２２を取り付けるハウジング２０と、ガラス４の反対側に罫書きホイール４２を取り付ける第２ハウジング４０とを含む。この第２の実施形態の構成および動作は第１の実施形態に関連して上述したものと類似しているため、同様の要素を同じ参照番号で示し、かつ第１の実施形態と異なっている部分について主に説明する。
【００４１】
図５は横延伸方向において平面外輪郭を有しているガラス４を示している。図１との別の相違点は、第２の実施形態が２つのホイールアンビル２２をシャフト２４に連結して備えていることである。２つのホイールアンビル２２はアイドラローラでもよく、またガラス４を損傷しないようシリコーン材料で被覆してもよい。この設計では、罫書きホイール４２とガラスに対する支持体との横延伸方向における位置合わせはあまり問題ではなくなり、というのもホイールアンビル２２がガラス４にぶつかる位置で、ホイールアンビル２２の２つの接線間に拡大された支持エリアが提供されるためである。この支持エリアは所望であれば、ホイールアンビル２２を、ずらして配置するおよび／または重複させることにより、減少させることができる。第２の実施形態の動作は、第１の実施形態に対して明記したものと実質上同様である。
【００４２】
上記のホイールアンビルは、ガラスシートを作製する方法において使用することができる。図６に示されているように、ガラス製造機器は、リボン延伸機２００とＴＡＭ２０５とを含み得る。リボン延伸機２００は成形本体２３０と延伸機器２４０を含む。成形本体２３０は注入口２３２から溶融ガラスを受け入れる。次いで溶融ガラスは成形本体の側面２３８を超えて底部２３９まで流れる。溶融ガラスはガラスリボン２０７として底部から離れ、ガラスリボン２０７は延伸機器２４０で牽引される。ＴＡＭは延伸機器２４０の下方に位置し、リボン２０７からガラスシート２０９を分離する機構を含む。上記のように、罫書き装置２の実施形態をＴＡＭ２０５で使用してもよい。
【００４３】
上述した本発明の実施形態、特に任意の「好ましい」実施形態は、単に実施可能な例であって、本発明の種々の原理を明確に理解するための単なる説明であることを強調したい。本発明の精神および種々の原理から実質的に逸脱することなく、上述の本発明の実施形態に対して多くの変形および改変を作製することができる。全てのこのような改変および変形は、本書において本開示および本発明の範囲内に含まれ、かつ以下の請求項によって保護されると意図されている。
【００４４】
例えば、図１ではガラス４は横延伸方向に概して平面的であるものとして示されているが、これに代えて、図５に示したように横延伸方向において曲線を有するものでもよい。同様に、図５ではガラス４は横延伸方向において曲線を有するものとして示されているが、これに代えて、図１に示したように概して平面的であるものでもよい。前述のいずれの場合でも、ガラス４は下方延伸方向において曲線を有するものでもよいし、あるいは比較的平面的なものでもよい。
【符号の説明】
【００４５】
２    罫書き装置
４    ガラス
２０、４０    ハウジング
２２    ホイールアンビル
２４、４４    シャフト
２５、４５    回転軸
２６、４６    アクチュエータ
２８    距離計
４２    罫書きホイール
【図１】
0005856171.tif 000002
【図２】
0005856171.tif 000003
【図３】
0005856171.tif 000004
【図４】
0005856171.tif 000005
【図５】
0005856171.tif 000006
【図６】
0005856171.tif 000007
【図７】
0005856171.tif 000008